(57)【要約】【課題】運送事業者にとって少ない負担で、全ドライバーへの点呼およびアルコールチェックを実行する技術を提供する。【解決手段】本実施形態の運行管理システム１によれば、車両の運行状況を記録するドライブレコーダ機能付きデジタルタコグラフ１０が、車両の運行を管理する運行管理者によって操作される事務所ＰＣ２０との間で通信可能である場合に、車両に搭乗する運転者に対して点呼を行うために運転者の情報として運転者の映像および運転者の音声を車内カメラ・マイク１７ａを介して取得して事務所ＰＣ２０に送信するとともに、アルコール濃度用センサ（アルコールチェッカ）４４ａを介して運転者の呼気中アルコール値を取得して事務所ＰＣ２０に送信し、事務所ＰＣ２０では、受信した運転者情報および検査結果を運行管理者に報知する。【選択図】図１
2015130109.tif 000002
【特許請求の範囲】
【請求項１】
車両の運行状況を記録するデジタルタコグラフ（１０）と、前記車両の運行を管理する運行管理者によって操作される管理者用端末（２０）と、管理センタ（３０）と、が互いに通信可能に構成される運行管理システム（１）であって、
前記デジタルタコグラフ（１０）は、
前記車両に搭乗する運転者に対して点呼を行うために運転者の情報として少なくとも運転者の音声を取得する運転者情報取得手段（１１）と、
運転者の呼気中アルコールを検査した結果を取得する検査結果取得手段（１１）と、
前記管理者用端末（２０）および前記管理センタ（３０）との間で通信可能な装置側通信手段（１８）と、
前記管理者用端末（２０）との間で通信可能である場合には、前記運転者情報取得手段（１１）が取得する運転者の情報を前記装置側通信手段（１８）を制御して前記管理者用端末（２０）に送信させるとともに、前記検査結果取得手段（１１）が取得する運転者の呼気中アルコールの検査結果を前記装置側通信手段（１８）を制御して前記管理者用端末（２０）に送信させる装置側通信制御手段（１１）と、を備え、
前記管理者用端末（２０）は、
前記デジタルタコグラフ（１０）および前記管理センタ（３０）との間で通信可能な端末側通信手段（２８）と、
前記端末側通信手段（２８）が前記デジタルタコグラフ（１０）から受信した前記運転者情報を再生する運転者情報再生手段（２１，２６）と、
前記端末側通信手段（２８）が前記デジタルタコグラフ（１０）から受信した前記検査結果を報知する検査結果報知手段（２１，２６）と、を備えること
を特徴とする運行管理システム（１）。
【請求項２】
請求項１に記載の運行管理システム（１）において、
前記デジタルタコグラフ（１０）においては、
前記装置側通信制御手段（１１）は、前記管理者用端末（２０）との間で通信が可能でない場合において、前記管理センタ（３０）との間で通信可能であるときには、前記運転者情報取得手段（１１）が取得する前記運転者情報を前記装置側通信手段（１８）を制御して前記管理センタ（３０）に送信させるとともに、前記検査結果取得手段（１１）が取得する前記検査結果を前記装置側通信手段（１８）を制御して前記管理センタ（３０）に送信させ、
前記管理センタ（３０）においては、
前記デジタルタコグラフ（１０）および前記管理者用端末（２０）との間で通信可能なセンタ側通信手段（３５）と、
前記センタ側通信手段（３５）が前記デジタルタコグラフ（１０）から受信した前記運転者情報を保存するとともに、前記センタ側通信手段（３５）が前記デジタルタコグラフ（１０）から受信した前記検査結果を保存する運転者状況保存手段（３４）と、
前記管理者用端末（２０）からの要求があった場合に、前記運転者状況保存手段（３４）が保存する前記運転者情報と前記検査結果とを前記センタ側通信手段（３５）を制御して前記管理者用端末（２０）に送信させるセンタ側通信制御手段（３１）と、を備え、
前記管理者用端末（２０）においては、
前記管理センタ（３０）の前記運転者状況保存手段（３４）が保存する前記運転者情報と前記検査結果とを送信する旨の要求を前記端末側通信手段（２８）を制御して前記管理センタ（３０）に送信する前記センタ側通信制御手段（２１）を備え、
前記運転者情報再生手段（２１，２６）は、前記要求に応じて、前記端末側通信手段（２８）が前記管理センタ（３０）から受信した前記運転者情報を再生し、
前記検査結果報知手段（２１，２６）は、前記要求に応じて、前記端末側通信手段（２８）が前記管理センタ（３０）から受信した前記検査結果を報知すること
を特徴とする運行管理システム（１）。
【請求項３】
請求項１または請求項２に記載の運行管理システム（１）を構成するデジタルタコグラフ（１０）。
【発明の詳細な説明】
【技術分野】
【０００１】
本発明は、運転者への点呼およびアルコールチェックを実行する技術に関する。
【背景技術】
【０００２】
特許文献１には、点呼のためにドライバーによって携帯されるドライバー装置を用いて呼気中アルコールの検査結果を運送事業者側の運送事業者装置に送信する点が記載されている。
【先行技術文献】
【特許文献】
【０００３】
【特許文献１】特開２０１２−１５９９５９号公報
【発明の概要】
【発明が解決しようとする課題】
【０００４】
しかし、上記技術では、全ドライバーにドライバー装置を携帯させる必要があり、運送事業者にとっての負担が増大するという問題があった。
本発明は、このような課題に鑑みなされたものであり、その目的とするところは、運送事業者にとって少ない負担で、全ドライバー（運転者）への点呼およびアルコールチェックを実行する技術を提供することにある。
【課題を解決するための手段】
【０００５】
上記課題を解決するためになされた本発明によれば、車両の運行状況を記録するデジタルタコグラフが、車両の運行を管理する運行管理者によって操作される管理者用端末との間で通信可能である場合に、車両に搭乗する運転者に対して点呼を行うために運転者の情報を取得して管理者用端末に送信するとともに、運転者の呼気中アルコールの検査結果を取得して管理者用端末に送信し、管理者用端末では、受信した運転者情報および検査結果を運行管理者に報知するので、特許文献１に記載の技術のように全ドライバーにドライバー装置を携帯させる必要がなく、運送事業者にとっての負担を軽減することができる。
【０００６】
したがって、本発明によれば、運送事業者にとって少ない負担で、全ドライバー（運転者）への点呼およびアルコールチェックを実行することができる。
【図面の簡単な説明】
【０００７】
【図１】本実施形態の運行管理システムの概略構成を示す説明図である。
【図２】（ａ）は運行管理システムを構成するデジタルタコグラフの全体構成を示す概略図であり、（ｂ）はデジタルタコグラフが事務所ＰＣに送信するデータの構造を示す説明図である。
【図３】（ａ）は運行管理システムを構成する事務所ＰＣの全体構成を示す概略図であり、（ｂ）は運行管理システムを構成する管理センタの全体構成を示す概略図である。
【図４】事務所ＰＣが作成する運転日報を示す説明図である。
【図５】運行管理システムが実行する運行管理処理のうちデジタルタコグラフが実行する運行管理処理（１）を示すフローチャートである。
【図６】運行管理システムが実行する運行管理処理のうち管理センタが実行する運行管理処理（２）を示すフローチャートである。
【図７】運行管理システムが実行する運行管理処理のうち事務所ＰＣが実行する運行管理処理（３）を示すフローチャートである。
【図８】運行管理システムが実行する運行管理処理のうち事務所ＰＣが実行する運行管理処理（４）を示すフローチャートである。
【発明を実施するための形態】
【０００８】
以下に本発明の実施形態を図面とともに説明する。なお、本発明は下記実施形態に限定されるものではなく、以下のような様々な態様にて実施することが可能である。
［１．運行管理システム１の構成の説明］
図１に示す運行管理システム１は、トラックやバスなどの車両の運行状況を記録するドライブレコーダ機能付きデジタルタコグラフ（以下デジタルタコグラフ）１０と、車両の運行管理者によって操作される管理者用端末としての事務所ＰＣ２０と、管理センタ３０と、が互いに通信可能に構成される。
【０００９】
この運行管理システム１は、運転者が運行管理者と対面できない状況において点呼を実施するのに有効である。
［１．１．デジタルタコグラフ１０の構成の説明］
デジタルタコグラフ１０は、図２（ａ）に示すように、ハードウェア構成として、ＣＰＵ１１、ＲＡＭ１２、ＲＯＭ１３、メモリカード１４、操作部１５、ＧＰＳ１６、入力部１７、通信部１８等を備える。ＣＰＵ１１は、ＲＡＭ１２やＲＯＭ１３に記憶されたプログラムやデータに従って、デジタルタコグラフ１０各部に対する制御及び各種演算を実行する装置である。ＲＡＭ１２は、メインメモリ等として利用される記憶装置である。ＲＯＭ１３は、不揮発性の記憶装置であり、読み出し専用のデータ等を記憶している。メモリカード１４は、プログラム等の各種データを保存しておくための装置である。また、メモリカード１４には、車両の運行に従って、荷積や休憩に関する情報（運行記録）も記録される。操作部１５は、撮影スイッチ１５ａ（図１参照）などへの運転者からの各種指示を入力するための入力装置である。ＧＰＳ１６は、車両の位置情報や距離情報、時間情報を取得する装置である。入力部１７は、車内カメラ・マイク１７ａ（図１参照）によって取得した運転者の映像および運転者の音声や車外カメラ・マイク１７ｂ（図１参照）によって取得した車外の映像および車外音を入力するための装置である。通信部１８は、携帯電話アンテナ１８ａ（図１参照）などを用いて事務所ＰＣ２０や管理センタ３０と通信を行うための通信インタフェースである。なお、デジタルタコグラフ１０には、記憶媒体として内蔵型ハードディスクを備えていてもよい。
【００１０】
また、デジタルタコグラフ１０は、車両の速度やエンジン回転数を検知する車速センサ４１、警告音などを出力する音声出力装置４２、デジタルタコグラフ１０の作動状態や運転者への警告メッセージ等を表示する表示装置４３、アルコール濃度用センサ（アルコールチェッカ）４４ａによって運転者の呼気中のアルコール濃度を検知して測定するアルコール測定装置４４等と連動している。
【００１１】
また、デジタルタコグラフ１０は、ドライブレコーダ機能を有している。なお、ドライブレコーダ機能とは、事故原因の特定に役立てるために、車速センサ４１の検出信号から車両に所定以上の衝撃が加わったことを検出すると、車外カメラ・マイク１７ｂで取得した車両周囲の画像および音声や、車内カメラ・マイク１７ａで取得した車両室内の画像および音声、運転者によるアクセルおよびブレーキの操作量等の車両データを記録する機能である。
【００１２】
なお、ＣＰＵ１１は、運転者情報取得手段、検査結果取得手段および装置側通信制御手段に該当する。また、通信部１８は、装置側通信手段に該当する。
［１．２．事務所ＰＣ２０の構成の説明］
事務所ＰＣ２０は、運行管理者が所在する事業会社等に設置されているパーソナルコンピュータであり、図３（ａ）に示すように、ハードウェア構成として、ＣＰＵ２１、ＲＡＭ２２、ＲＯＭ２３、ＨＤＤ２４、操作部２５、再生部２６、入力部２７、通信部２８等を備える。ＣＰＵ２１は、ＲＡＭ２２やＲＯＭ２３に記憶されたプログラムやデータに従って、事務所ＰＣ２０各部に対する制御及び各種演算を実行する装置である。ＲＡＭ２２は、メインメモリ等として利用される記憶装置である。ＲＯＭ２３は、不揮発性の記憶装置であり、読み出し専用のデータ等を記憶している。ＨＤＤ２４は、プログラム等の各種データを保存しておくための装置である。操作部２５は、運行管理者からの各種指示を入力するための入力装置であり、複数のキースイッチ等によって構成される。再生部２６は、スピーカやモニタを備え、音声データおよび映像データの再生を行う。入力部２７は、マイクロフォンによって運行管理者の音声を入力するための装置である。通信部２８は、デジタルタコグラフ１０や管理センタ３０と通信を行うための通信インタフェースである。
【００１３】
なお、ＣＰＵ２１および再生部２６は、運転者情報再生手段および検査結果報知手段に該当する。また、通信部２８は、端末側通信手段に該当する。
［１．３．管理センタ３０の構成の説明］
管理センタ３０は、運行管理者が所在する事業会社等に設置されているサーバーコンピュータであり、図３（ｂ）に示すように、ハードウェア構成として、ＣＰＵ３１、ＲＡＭ３２、ＲＯＭ３３、ＨＤＤ３４、通信部３５等を備える。ＣＰＵ３１は、ＲＡＭ３２やＲＯＭ３３に格納されたプログラムやデータに従って、管理センタ３０各部に対する制御及び各種演算を実行する装置である。ＲＡＭ３２は、メインメモリとして利用される記憶装置である。ＲＯＭ３３は、不揮発性の記憶装置であり、読み出し専用のデータ等を記憶している。ＨＤＤ３４は、管理センタ３０が作動するためのプログラムや各種データを保存しておくための記憶装置である。通信部３５は、デジタルタコグラフ１０や事務所ＰＣ２０との間で通信を行うための通信インタフェースである。
【００１４】
なお、ＣＰＵ３１は、センタ側通信制御手段に該当する。また、ＨＤＤ３４は、運転者状況保存手段に該当する。また、通信部３５は、センタ側通信手段に該当する。
［２．運行管理処理の説明］
次に、運行管理システム１が実行する運行管理処理を説明する。
【００１５】
この運行管理処理は、デジタルタコグラフ１０が実行する運行管理処理（１）、管理センタ３０が実行する運行管理処理（２）、事務所ＰＣ２０が実行する運行管理処理（３）・（４）からなる。以下、順に説明する。
【００１６】
［２．１．デジタルタコグラフ１０が実行する運行管理処理（１）の説明］
まず、デジタルタコグラフ１０が実行する運行管理処理（１）について図５のフローチャートを参照しながら説明する。
【００１７】
最初のステップＳ１０１０では、点呼を行うために操作部１５の撮影スイッチ１５ａが押されたか否かを判断する。撮影スイッチ１５ａが押されていないと判断された場合には（Ｓ１０１０：ＮＯ）、撮影スイッチ１５ａが押されるまで待機するために再びＳ１０１０を実行する。一方、撮影スイッチ１５ａが押されたと判断された場合には（Ｓ１０１０：ＹＥＳ）、Ｓ１０２０に移行する。
【００１８】
Ｓ１０２０では、撮影スイッチ１５ａが押された旨を示す情報を事務所ＰＣ２０へ送信する。その後、Ｓ１０３０に移行する。
Ｓ１０３０では、Ｓ１０２０で撮影スイッチ１５ａが押された旨を示す情報を事務所ＰＣ２０へ送信したことに対して、事務所ＰＣ２０からの応答があったか否かを判断する。事務所ＰＣ２０からの応答があったと判断された場合には（Ｓ１０３０：ＹＥＳ）、Ｓ１０４０に移行する。一方、事務所ＰＣ２０からの応答がなかったと判断された場合には（Ｓ１０３０：ＮＯ）、Ｓ１１４０に移行する。
【００１９】
Ｓ１０４０では、事務所ＰＣ２０からの応答があったことを受けて、事務所ＰＣ２０に接続する。その後、Ｓ１０５０に移行する。
Ｓ１０５０では、運転者の映像および運転者の音声を取得し始める。つまり、撮影および録音を開始する。その後、Ｓ１０６０に移行する。
【００２０】
Ｓ１０６０では、運転者の映像（映像データ）および運転者の音声（音声データ）を圧縮して事務所ＰＣ２０へ送信し始める。なお、映像データおよび音声データは、図２（ｂ）に例示するようなデータリストに登録される。また、アルコール値を示すデータおよび体調情報を示すデータについても同様にこのデータリストに登録される。このデータリストでは、事務所ＰＣ２０へ送信されたデータが消去され、新たに生成されたデータがリストの最後尾に追加される。一例を挙げると、リスト先頭のデータ「１００１．ｍｐ４」が送信後にリストから消去され（左側列から右側列への移行）、新たに生成されたデータがデータリストの最後尾（右側列中の「Ｚ」番目として表示）に追加されるといった具合である。その後、Ｓ１０７０に移行する。
【００２１】
Ｓ１０７０では、運転者の呼気中アルコールの検査結果（アルコール値）の入力があったか否かを判断する。アルコール値の入力がなかったと判断された場合には（Ｓ１０７０：ＮＯ）、アルコール値の入力があるまで待機するために再びＳ１０７０を実行する。一方、アルコール値の入力があったと判断された場合には（Ｓ１０７０：ＹＥＳ）、Ｓ１０８０に移行する。
【００２２】
Ｓ１０８０では、Ｓ１０７０で入力されたアルコール値を事務所ＰＣ２０へ送信する。その後、Ｓ１０９０に移行する。
Ｓ１０９０では、操作部１５に対して運転者の体調に関する情報（体調情報）の入力があったか否かを判断する。体調情報の入力がなかったと判断された場合には（Ｓ１０９０：ＮＯ）、体調情報の入力があるまで待機するために再びＳ１０９０を実行する。一方、体調情報の入力があったと判断された場合には（Ｓ１０９０：ＹＥＳ）、Ｓ１１００に移行する。
【００２３】
Ｓ１１００では、Ｓ１０９０で入力された体調情報を事務所ＰＣ２０へ送信する。その後、Ｓ１１１０に移行する。
Ｓ１１１０では、操作部１５に対して点呼を終了する旨の入力があったか否かを判断する。点呼を終了する旨の入力がなかったと判断された場合には（Ｓ１１１０：ＮＯ）、点呼を終了する旨の入力があったと判断されるまで待機するために再びＳ１１１０を実行する。一方、点呼を終了する旨の入力があったと判断された場合には（Ｓ１１１０：ＹＥＳ）、Ｓ１１２０に移行する。
【００２４】
Ｓ１１２０では、Ｓ１０５０で開始していた運転者の映像および運転者の音声の取得を終了する。その後、Ｓ１１３０に移行する。
Ｓ１１３０では、Ｓ１０６０で開始していた映像データおよび音声データの圧縮および事務所ＰＣ２０への送信を終了する。また、点呼を行った場所と時刻、アルコール値等が点呼記録としてメモリカード１４に記録するとともに、点呼記録および運行記録を事務所ＰＣ２０に送信する。その後、本処理を終了する。
【００２５】
Ｓ１１４０では、事務所ＰＣ２０からの応答がなかったことを受けて、管理センタ３０に接続する。その後、Ｓ１１５０に移行する。
Ｓ１１５０では、運転者の映像および運転者の音声を取得し始める。つまり、撮影および録音を開始する。その後、Ｓ１１６０に移行する。
【００２６】
Ｓ１１６０では、運転者の呼気中アルコールの検査結果（アルコール値）の入力があったか否かを判断する。アルコール値の入力がなかったと判断された場合には（Ｓ１１６０：ＮＯ）、アルコール値の入力があるまで待機するために再びＳ１１６０を実行する。一方、アルコール値の入力があったと判断された場合には（Ｓ１１６０：ＹＥＳ）、Ｓ１１７０に移行する。
【００２７】
Ｓ１１７０では、操作部１５に対して運転者の体調に関する情報（体調情報）の入力があったか否かを判断する。体調情報の入力がなかったと判断された場合には（Ｓ１１７０：ＮＯ）、体調情報の入力があるまで待機するために再びＳ１１７０を実行する。一方、体調情報の入力があったと判断された場合には（Ｓ１１７０：ＹＥＳ）、Ｓ１１８０に移行する。
【００２８】
Ｓ１１８０では、操作部１５に対して点呼を終了する旨の入力があったか否かを判断する。点呼を終了する旨の入力がなかったと判断された場合には（Ｓ１１８０：ＮＯ）、点呼を終了する旨の入力があったと判断されるまで待機するために再びＳ１１８０を実行する。一方、点呼を終了する旨の入力があったと判断された場合には（Ｓ１１８０：ＹＥＳ）、Ｓ１１９０に移行する。
【００２９】
Ｓ１１９０では、Ｓ１１５０で開始していた運転者の映像および運転者の音声の取得を終了する。その後、Ｓ１２００に移行する。
Ｓ１２００では、アルコール値および体調情報を圧縮する。その後、Ｓ１２１０に移行する。
【００３０】
Ｓ１２１０では、映像データおよび音声データを圧縮する。その後、Ｓ１２２０に移行する。
Ｓ１２２０では、Ｓ１２００で圧縮したアルコール値および体調情報とＳ１２１０で圧縮した映像データおよび音声データを管理センタ３０へ送信する。また、点呼を行った場所と時刻、アルコール値等が点呼記録としてメモリカード１４に記録するとともに、点呼記録および運行記録を事務所ＰＣ２０に送信する。その後、本処理を終了する。
【００３１】
［２．２．管理センタ３０が実行する運行管理処理（２）の説明］
次に、管理センタ３０が実行する運行管理処理（２）について図６のフローチャートを参照しながら説明する。
【００３２】
最初のステップＳ２０１０では、デジタルタコグラフ１０などからの接続があるか否かを判断する。接続がないと判断された場合には（Ｓ２０１０：ＮＯ）、接続があるまで待機するために再びＳ２０１０を実行する。一方、接続があると判断された場合には（Ｓ２０１０：ＹＥＳ）、Ｓ２０２０に移行する。
【００３３】
Ｓ２０２０では、デジタルタコグラフ１０から接続されたか否かを判断する。デジタルタコグラフ１０から接続されたのではないと判断された場合には（Ｓ２０２０：ＮＯ）、Ｓ２０３０に移行する。一方、デジタルタコグラフ１０から接続されたと判断された場合には（Ｓ２０２０：ＹＥＳ）、Ｓ２０６０に移行する。
【００３４】
Ｓ２０３０では、デジタルタコグラフ１０から接続されたのではないと判断されたことを受けて、事務所ＰＣ２０から接続されたと判断し、事務所ＰＣ２０へインデックスを送信するとともに、事務所ＰＣ２０からのリクエストを受信する。なお、インデックスとは、デジタルタコグラフ１０から送信されて保存している情報（映像データ、音声データ、アルコール値、体調情報、点呼記録、運行記録など）の一覧である。また、リクエストとは、デジタルタコグラフ１０から送信されて保存している情報を指定して事務所ＰＣ２０に送信するよう要請する旨である。その後、Ｓ２０４０に移行する。
【００３５】
Ｓ２０４０では、事務所ＰＣ２０から要求された情報に対応するファイルをＲＡＭ３２から読み出して事務所ＰＣ２０へ送信する。その後、Ｓ２０５０に移行する。
Ｓ２０５０では、事務所ＰＣ２０から接続を終了する旨の要求があったか否かを判断する。事務所ＰＣ２０から接続を終了する旨の要求がなかったと判断された場合には（Ｓ２０５０：ＮＯ）、事務所ＰＣ２０から接続を終了する旨の要求があるまで待機するために再びＳ２０５０を実行する。一方、事務所ＰＣ２０から接続を終了する旨の要求があったと判断された場合には（Ｓ２０５０：ＹＥＳ）、事務所ＰＣ２０との接続を終了し、本処理を終了する。
【００３６】
Ｓ２０６０では、デジタルタコグラフ１０から接続されたと判断されたことを受けて、デジタルタコグラフ１０からファイルを受信する。なお、このファイルには、デジタルタコグラフ１０が取得した情報（映像データ、音声データ、アルコール値、体調情報、点呼記録、運行記録など）が含まれている。その後、Ｓ２０７０に移行する。
【００３７】
Ｓ２０７０では、デジタルタコグラフ１０から受信したファイルをＲＡＭ３２に保存する。そして、本処理を終了する。
［２．３．事務所ＰＣ２０が実行する運行管理処理（３）の説明］
次に、事務所ＰＣ２０が実行する運行管理処理（３）について図７のフローチャートを参照しながら説明する。
【００３８】
最初のステップＳ３０１０では、デジタルタコグラフ１０からの接続要求があるか否かを判断する。デジタルタコグラフ１０からの接続要求がないと判断された場合には（Ｓ３０１０：ＮＯ）、デジタルタコグラフ１０からの接続要求があるまで待機するために再びＳ３０１０を実行する。一方、デジタルタコグラフ１０からの接続要求があると判断された場合には（Ｓ３０１０：ＹＥＳ）、Ｓ３０２０に移行する。
【００３９】
Ｓ３０２０では、デジタルタコグラフ１０から映像データおよび音声データを受信する。その後、Ｓ３０３０に移行する。
Ｓ３０３０では、デジタルタコグラフ１０から受信した映像データおよび音声データの再生を開始する。その後、Ｓ３０４０に移行する。
【００４０】
Ｓ３０４０では、運行管理者の音声を取得し始める。その後、Ｓ３０５０に移行する。
Ｓ３０５０では、取得した運行管理者の音声（音声ファイル）を圧縮してデジタルタコグラフ１０へ送信する処理を開始する。その後、Ｓ３０６０に移行する。
【００４１】
Ｓ３０６０では、デジタルタコグラフ１０から運転者の呼気中アルコールの検査結果（アルコール値）を受信したか否かを判断する。アルコール値を受信していないと判断された場合には（Ｓ３０６０：ＮＯ）、アルコール値を受信したと判断されるまで待機するために再びＳ３０６０を実行する。一方、アルコール値を受信したと判断された場合には（Ｓ３０６０：ＹＥＳ）、Ｓ３０７０に移行する。
【００４２】
Ｓ３０７０では、デジタルタコグラフ１０から受信したアルコール値を再生部２６に表示する。その後、Ｓ３０８０に移行する。
Ｓ３０８０では、デジタルタコグラフ１０から運転者の体調に関する情報（体調情報）を受信したか否かを判断する。体調情報を受信していないと判断された場合には（Ｓ３０８０：ＮＯ）、体調情報を受信したと判断されるまで待機するために再びＳ３０８０を実行する。一方、体調情報を受信したと判断された場合には（Ｓ３０８０：ＹＥＳ）、Ｓ３０９０に移行する。
【００４３】
Ｓ３０９０では、デジタルタコグラフ１０から受信した体調情報を表示する。また、デジタルタコグラフ１０から点呼記録および運行記録も受信する。なお、受信したアルコール値、体調情報、点呼記録、運行記録などはＨＤＤ２４を記録しておく。その後、Ｓ３０９５に移行する。
【００４４】
Ｓ３０９５では、デジタルタコグラフ１０から受信した情報（映像データ、音声データ、アルコール値、体調情報、点呼記録、運行記録など）に基づき、図４に例示するような運転日報を作成し、作成した運転日報を保存するとともに表示する。なお、この運転日報には、運行日付、乗務員に関する情報、車両に関する情報、呼気中のアルコール検査結果、就業記録、運行記録、点検記録、運行評価等が含まれている。その後、Ｓ３１００に移行する。
【００４５】
Ｓ３１００では、デジタルタコグラフ１０から接続を終了する旨の要求があったか否かを判断する。デジタルタコグラフ１０から接続を終了する旨の要求がなかったと判断された場合には（Ｓ３１００：ＮＯ）、デジタルタコグラフ１０から接続を終了する旨の要求があるまで待機するために再びＳ３１００を実行する。一方、デジタルタコグラフ１０から接続を終了する旨の要求があったと判断された場合には（Ｓ３１００：ＹＥＳ）、Ｓ３１１０に移行する。
【００４６】
Ｓ３１１０では、映像データおよび音声データの受信およびその再生を終了する。その後、Ｓ３１２０に移行する。
Ｓ３１２０では、運行管理者の音声の取得を終了する。その後、Ｓ３１３０に移行する。
【００４７】
Ｓ３１３０では、音声データの圧縮およびデジタルタコグラフ１０への送信を終了する。その後、本処理を終了する。
［２．４．事務所ＰＣ２０が実行する運行管理処理（４）の説明］
次に、事務所ＰＣ２０が実行する運行管理処理（４）について図８のフローチャートを参照しながら説明する。
【００４８】
最初のステップＳ４０１０では、管理センタ３０に対して接続を要求する。その後、Ｓ４０２０に移行する。
Ｓ４０２０では、管理センタ３０からの応答があったか否かを判断する。管理センタ３０からの応答がなかったと判断された場合には（Ｓ４０２０：ＮＯ）、管理センタ３０からの応答があったと判断されるまで待機するために再びＳ４０２０を実行する。一方、管理センタ３０からの応答があったと判断された場合には（Ｓ４０２０：ＹＥＳ）、Ｓ４０３０に移行する。
【００４９】
Ｓ４０３０では、管理センタ３０に対して認証可能な否かを判断する。管理センタ３０に対して認証可能であると判断された場合には（Ｓ４０３０：ＹＥＳ）、Ｓ４０４０に移行する。一方、管理センタ３０に対して認証可能ではないと判断された場合には（Ｓ４０３０：ＮＯ）、そのまま本処理を終了する。
【００５０】
Ｓ４０４０では、管理センタ３０に認証した後に、管理センタ３０から送信されたインデックスを受信して表示する。その後、Ｓ４０５０に移行する。
Ｓ４０５０では、操作部２５に対して行われた管理者によるインデックス中のファイルの選択を受け付け、受け付けた選択内容を管理センタ３０に送信する。その後、Ｓ４０６０に移行する。
【００５１】
Ｓ４０６０では、管理センタ３０から送信されたファイルを受信する。その後、Ｓ４０７０に移行する。
Ｓ４０７０では、受信したファイルを保存する。その後、Ｓ４０８０に移行する。
【００５２】
Ｓ４０８０では、保存したファイルを再生して運行管理者に確認してもらう。その後、Ｓ４０９０に移行する。
Ｓ４０９０では、ファイルに基づき図４に例示するような運転日報を作成し、作成した運転日報を保存するとともに表示する。その後、本処理を終了する。
【００５３】
［３．実施形態の効果］
本実施形態の運行管理システム１によれば、車両の運行状況を記録するデジタルタコグラフ１０が、車両の運行を管理する運行管理者によって操作される事務所ＰＣ２０との間で通信可能である場合に、車両に搭乗する運転者に対して点呼を行うために運転者の情報として運転者の映像および運転者の音声を取得して事務所ＰＣ２０に送信するとともに、運転者の呼気中アルコールの検査結果を取得して事務所ＰＣ２０に送信し、事務所ＰＣ２０では、受信した運転者情報および検査結果を運行管理者に報知するので、特許文献１に記載の技術のように全ドライバーにドライバー装置を携帯させる必要がなく、運送事業者にとっての負担を軽減することができる。
【００５４】
したがって、本実施形態の運行管理システム１によれば、運送事業者にとって少ない負担で、全ドライバーへの点呼およびアルコールチェックを実行することができる。
【符号の説明】
【００５５】
１…運行管理システム、１０…デジタルタコグラフ、１１…ＣＰＵ、１２…ＲＡＭ、１３…ＲＯＭ、１４…メモリカード、１５…操作部、１５ａ…撮影スイッチ、１６…ＧＰＳ、１７…入力部、１７ａ…車内カメラ・マイク、１７ｂ…車外カメラ・マイク、１８…通信部、１８ａ…携帯電話アンテナ、２０…事務所ＰＣ、２１…ＣＰＵ、２２…ＲＡＭ、２３…ＲＯＭ、２４…ＨＤＤ、２５…操作部、２６…再生部、２７…入力部、２８…通信部、３０…管理センタ、３１…ＣＰＵ、３２…ＲＡＭ、３３…ＲＯＭ、３４…ＨＤＤ、３５…通信部、４１…車速センサ、４２…音声出力装置、４３…表示装置、４４…アルコール測定装置、４４ａ…アルコール濃度用センサ（アルコールチェッカ）。
【図２】
2015130109.tif 000003
【図３】
2015130109.tif 000004
【図５】
2015130109.tif 000005
【図６】
2015130109.tif 000006
【図７】
2015130109.tif 000007
【図８】
2015130109.tif 000008
【図１】
2015130109.tif 000009
【図４】
2015130109.tif 000010